(57)【要約】【課題】操作性を向上させることができるとともに、部品点数の削減および装置の小型化を図ることが可能な操作表示装置を提供する。【解決手段】操作表示装置は、情報を表示する表示領域を有する表示部と、表示領域に対するタッチ操作を受け付けるタッチパネル部と、表示領域の外側領域に仮想的に配置される第１キーの配置位置を記憶する記憶部と、を備え、タッチパネル部は、表示領域に対するタッチ位置を一方側から他方側へタッチしたまま移動させるタッチ操作を第１キー表示操作として受け付け、表示部は、タッチパネル部が第１キー表示操作を受け付けると、第１キー表示操作でのタッチ位置の移動方向に仮想的に配置された第１キーを表示する。【選択図】図６
2016115293.tif 000002
【特許請求の範囲】
【請求項１】
情報を表示する表示領域を有する表示部と、
前記表示領域に対するタッチ操作を受け付けるタッチパネル部と、
前記表示領域の外側領域に仮想的に配置される第１キーの配置位置を記憶する記憶部と、を備え、
前記タッチパネル部は、前記表示領域に対するタッチ位置を一方側から他方側へタッチしたまま移動させるタッチ操作を第１キー表示操作として受け付け、
前記表示部は、前記タッチパネル部が前記第１キー表示操作を受け付けると、前記第１キー表示操作でのタッチ位置の移動方向に仮想的に配置された前記第１キーを表示することを特徴とする操作表示装置。
【請求項２】
前記表示部は、前記タッチパネル部が前記第１キー表示操作を受け付ける前は複数の第２キーを表示しており、
前記表示部は、前記タッチパネル部が前記第１キー表示操作を受け付けると、前記複数の第２キーのうち少なくとも１つを前記表示領域から消して、前記第１キーを表示することを特徴とする請求項１に記載の操作表示装置。
【請求項３】
前記複数の第２キーの各使用回数に基づいて、前記複数の第２キーのうち前記表示領域から消す前記第２キーを選択する選択部を備え、
前記選択部は、前記表示領域から消す前記第２キーを選択するとき、前記複数の第２キーのうち使用回数が最も少ない前記第２キーから順に選択することを特徴とする請求項２に記載の操作表示装置。
【請求項４】
前記外側領域は、複数の区分け領域を含み、
前記記憶部は、前記複数の区分け領域のうちユーザーによって選択された区分け領域を前記第１キーの仮想的な配置位置として記憶し、
前記表示部は、前記タッチパネル部が前記第１キー表示操作を受け付けると、前記複数の区分け領域のうち前記第１キー表示操作でのタッチ位置の移動方向に在る区分け領域に仮想的に配置された前記第１キーを表示することを特徴とする請求項１〜３のいずれか１項に記載の操作表示装置。
【請求項５】
前記表示部は、前記第１キー表示操作でのタッチ位置の移動方向に、使用できない前記第１キーが仮想的に配置されているとき、前記使用できない第１キーについては表示しないことを特徴とする請求項１〜４のいずれか１項に記載の操作表示装置。
【請求項６】
前記表示部は、前記第１キーを表示している状態において、前記表示領域に対するタッチ位置を前記第１キー表示操作でのタッチ位置の移動方向とは逆方向に移動させるタッチ操作を前記タッチパネル部が受け付けたとき、前記タッチパネル部が前記第１キー表示操作を受け付ける前の画面へ表示画面を戻すことを特徴とする請求項１〜５のいずれか１項に記載の操作表示装置。
【請求項７】
請求項１〜６のいずれか１項に記載の操作表示装置を備えていることを特徴とする画像形成装置。
【発明の詳細な説明】
【技術分野】
【０００１】
本発明は、情報を表示するとともに操作を受け付ける操作表示装置およびそれを備えた画像形成装置に関する。
【背景技術】
【０００２】
従来、設定値の変更が可能な複数種の機能（コピー機能やファックス機能など）を搭載する画像形成装置が知られている。このような画像形成装置には、複数種の機能のうち所望機能を選択する操作や、所望機能のジョブをスタートする操作など、種々の操作をユーザーから受け付けるための操作表示装置が設けられるのが一般的である（たとえば、特許文献１参照）。
【０００３】
特許文献１の操作表示装置（タッチパネルおよびキーボード）には、所望機能を選択するためのファンクションキー（コピーキーやファックスキーなど）が設けられている。また、数値を入力するためのテンキーや、ジョブをスタートするためのスタートキーなども設けられている。これら各キーは、ハードキーである。
【先行技術文献】
【特許文献】
【０００４】
【特許文献１】特開２０１１−１９９７７３号公報
【発明の概要】
【発明が解決しようとする課題】
【０００５】
特許文献１では、所望機能のジョブを画像形成装置に実行させるとき、所望機能を選択するための選択操作、所望機能に関する設定内容を設定するための設定操作、および、所望機能のジョブをスタートするためのスタート操作など、種々の操作が必要となる。
【０００６】
たとえば、所望機能がコピー機能である場合、コピーキー（ハードキー）を押下することにより、コピー機能に関する設定内容を設定するためのソフトキーを配置した設定画面がタッチパネルに表示される。これにより、タッチパネルに対するタッチ操作を行うことによって、コピー機能に関する設定内容を所望の設定内容に変更できる。その後、スタートキー（ハードキー）を押下することにより、画像形成装置にてコピー機能のジョブが実行される。
【０００７】
このように、特許文献１では、ファンクションキー（ハードキー）に対する押下操作を選択操作として受け付け、設定画面（ソフトキー）に対するタッチ操作を設定操作として受け付け、スタートキー（ハードキー）に対する押下操作をスタート操作として受け付ける。このため、特許文献１では、所望機能のジョブを画像形成装置に実行させるとき、ハードキーに対する押下操作とソフトキーに対するタッチ操作とを行わなければならない。したがって、操作性が悪い。
【０００８】
さらに、スタートキーやテンキーなどがハードキーとして設置された特許文献１では、部品点数が多くなるという不都合がある。また、ハードキーを設置するためのスペースが必要となるので、操作表示装置が大型化するという不都合もある。
【０００９】
本発明は、上記課題を解決するためになされたものであり、操作性を向上させることができるとともに、部品点数の削減および装置の小型化を図ることが可能な操作表示装置およびそれを備えた画像形成装置を提供することを目的とする。
【課題を解決するための手段】
【００１０】
上記目的を達成するため、本発明の操作表示装置は、情報を表示する表示領域を有する表示部と、表示領域に対するタッチ操作を受け付けるタッチパネル部と、表示領域の外側領域に仮想的に配置される第１キーの配置位置を記憶する記憶部と、を備える。そして、タッチパネル部は、表示領域に対するタッチ位置を一方側から他方側へタッチしたまま移動させるタッチ操作を第１キー表示操作として受け付け、表示部は、タッチパネル部が第１キー表示操作を受け付けると、第１キー表示操作でのタッチ位置の移動方向に仮想的に配置された第１キーを表示する。
【００１１】
本発明の構成では、タッチパネル部に対して第１キー表示操作を行うと、第１キー表示操作でのタッチ位置の移動方向に仮想的に配置された第１キーが表示部に表示される。したがって、本来はハードキーとして設置されるキーの機能（ジョブのスタート指示を受け付ける機能や数値入力を受け付ける機能）を第１キーに割り当てることによって、ハードキーを設けなくてもよくなる。これにより、ハードキーに対する操作が不要となる（タッチパネル部に対するタッチ操作だけでよくなる）ので、操作性が向上する。
【００１２】
さらに、ハードキーを設けなくてもよいので、部品点数の削減および装置の小型化を図ることができる。
【発明の効果】
【００１３】
以上のように、本発明の構成では、操作性を向上させることができるとともに、部品点数の削減および装置の小型化を図ることができる。
【図面の簡単な説明】
【００１４】
【図１】本発明の一実施形態による操作パネルを備えた画像形成装置の概略図
【図２】本発明の一実施形態による操作パネルを備えた画像形成装置のハードウェア構成を示す図
【図３】本発明の一実施形態による操作パネルに表示される画面（機能選択画面）の一例を示す図
【図４】本発明の一実施形態による操作パネルに表示される画面（設定画面）の一例を示す図
【図５】本発明の一実施形態による操作パネルに表示される画面（設定値入力画面）の一例を示す図
【図６】本発明の一実施形態による操作パネルの表示領域の外側領域に仮想的に配置される第１キーの配置位置を示す図
【図７】本発明の一実施形態による操作パネルに対して第１キー表示操作（タッチ位置を右側から左側に移動させる操作）が行われたときの表示動作を説明するための図
【図８】本発明の一実施形態による操作パネルに対して第１キー表示操作（タッチ位置を下側から上側に移動させる操作）が行われたときの表示動作を説明するための図
【図９】本発明の一実施形態による操作パネルに対して第１キー表示操作が行われたときの表示動作（使用できない第１キーを表示しないときの動作）を説明するための図
【図１０】本発明の一実施形態による操作パネルに対して第１キー非表示操作（タッチ位置を左側から右側に移動させる操作）が行われたときの表示動作を説明するための図
【図１１】本発明の一実施形態による操作パネルに対して第１キー非表示操作（タッチ位置を上側から下側に移動させる操作）が行われたときの表示動作を説明するための図
【発明を実施するための形態】
【００１５】
＜画像形成装置の全体構成＞
図１に示すように、画像形成装置１００は、コピー機能やファックス機能など複数種の機能が搭載された複合機であり、画像読取部１０１、印刷部１０２および操作パネル１０３を備える。なお、操作パネル１０３は、「操作表示装置」に相当する。
【００１６】
画像読取部１０１は、コンタクトガラス１１を有する。そして、画像読取部１０１は、コンタクトガラス１１上に載置された原稿を読み取り、原稿の画像データを生成する。
【００１７】
印刷部１０２は、画像データに基づく画像を用紙に印刷し、印刷済み用紙を排出する。たとえば、印刷部１０２は、画像読取部１０１による原稿の読み取りによって得られた画像データに基づく画像を用紙に印刷する。
【００１８】
印刷部１０２は、給紙部２１、用紙搬送部２２、画像形成部２３および定着部２４を備える。給紙部２１は、用紙カセット２５に収容された用紙を用紙搬送路２０に供給する。用紙搬送部２２は、用紙搬送路２０に沿って用紙を搬送する。画像形成部２３は、感光体ドラム１、帯電装置２、露光装置３、現像装置４、転写ローラー５およびクリーニング装置６を含む。そして、画像形成部２３は、画像データに基づきトナー画像を形成し、そのトナー画像を用紙に転写する。定着部２４は、用紙に転写されたトナー画像を加熱および加圧して定着させる。
【００１９】
操作パネル１０３は、表示部３１およびタッチパネル部３２を含む。表示部３１は、液晶表示パネルや有機ＥＬ表示パネルなどの表示パネルである。この表示部３１は、平面的に見て略矩形状の表示領域ＤＡを有する。そして、表示部３１は、各種指示をユーザーから受け付けるためのソフトキー（ソフトウェアキー）やメッセージなどを表示領域ＤＡに表示する。
【００２０】
タッチパネル部３２は、複数のタッチ位置を同時に検知可能なマルチタッチパネルであり、表示部３１の表示領域ＤＡを覆うように配置される。このタッチパネル部３２は、表示部３１（表示領域ＤＡ）に対するタッチ操作を受け付ける。たとえば、タッチパネル部３２は、複数種の機能から使用機能を選択するための操作、使用機能に関する設定値を設定するための操作、および、ジョブをスタートしたりストップしたりするための操作などを受け付ける。
【００２１】
＜画像形成装置のハードウェア構成＞
図２に示すように、画像形成装置１００は、主制御部１１０を備える。主制御部１１０は、ＣＰＵ１１１、画像処理部１１２および記憶部１１３を含む。画像処理部１１２は、画像処理専用のＡＳＩＣなどからなり、画像データに対して画像処理（拡大／縮小、濃度変換およびデータ形式変換など）を施す。記憶部１１３は、ＲＯＭ、ＲＡＭおよびＨＤＤなどからなり、制御用のプログラムやデータを記憶する。そして、主制御部１１０は、記憶部１１３に記憶された制御用のプログラムやデータに基づき、画像形成装置１００の各部の動作を制御する。
【００２２】
具体的には、主制御部１１０は、画像読取部１０１および印刷部１０２（給紙部２１、用紙搬送部２２、画像形成部２３および定着部２４）と接続される。そして、主制御部１１０は、画像読取部１０１の読取動作を制御するとともに、印刷部１０２の印刷動作を制御する。
【００２３】
また、主制御部１１０は、パネル制御部１２０と接続される。パネル制御部１２０は、パネルＣＰＵ１２１およびパネルメモリー１２２を含む。たとえば、パネルメモリー１２２は、画面の表示に必要なデータ（画面データ）を記憶する。また、パネルメモリー１２２は、後述する第１キーＫ１の仮想的な配置位置を記憶する。すなわち、パネルメモリー１２２は、「記憶部」に相当する。
【００２４】
パネル制御部１２０は、主制御部１１０から指示を受け、操作パネル１０３の表示動作を制御したり、操作パネル１０３に対して行われた操作を検知したりする。たとえば、パネル制御部１２０は、表示部３１にソフトキーを表示させ、そのソフトキーに対してタッチ操作が行われると、タッチパネル部３２の出力に基づきタッチ操作を受けたソフトキーを検知する。そして、パネル制御部１２０は、検知結果に基づき、表示画面の切り替えを表示部３１に行わせる。
【００２５】
また、主制御部１１０は、通信部１３０と接続される。通信部１３０は、外部のコンピューター２００とネットワークを介して通信可能に接続される。これにより、コンピューター２００から送信された画像データに基づき印刷を行うことができるとともに、画像読取部１０１による原稿の読み取りによって得られた画像データをコンピューター２００に送信することもできる。また、通信部１３０にモデムなどを内蔵してもよい。この場合には、電話回線などのネットワークを介して、外部のファクシミリ３００とファックス通信することができる。
【００２６】
＜操作パネルに表示される画面＞
パネル制御部１２０は、主電源が投入されると、図３に示すようなメインメニュー画面ＭＳを初期画面として表示部３１に表示させる。メインメニュー画面ＭＳには、複数種の機能のうちから使用機能の選択指示を受け付けるため、複数種の機能にそれぞれ対応する複数の機能選択キーＦＫが配置される。たとえば、コピーキー、送信キー、ファックスキー、ユーザーボックスキー、ジョブボックスキー、ファックス受信ボックスキー、外部メモリーキーおよびインターネットキーが機能選択キーＦＫとしてメインメニュー画面ＭＳに配置される。
【００２７】
複数の機能選択キーＦＫのうちいずれかに対してタッチ操作が行われると、パネル制御部１２０は、タッチパネル部３２の出力に基づき、タッチされた機能選択キーＦＫを検知する。言い換えると、パネル制御部１２０は、選択された機能を認識する。そして、パネル制御部１２０は、パネルメモリー１２２から画面データを読み出し、選択された機能に関する設定を受け付けるための設定画面ＳＳ（図４参照）を表示部３１に表示させる。すなわち、表示部３１は、コピー機能が選択された場合、コピー機能に関する設定を受け付けるための設定画面ＳＳを表示し、送信機能が選択された場合、送信機能に関する設定を受け付けるための設定画面ＳＳを表示する。
【００２８】
たとえば、コピー機能が選択された場合、パネル制御部１２０は、図４に示すようなコピー機能の設定画面ＳＳを表示部３１に表示させる。コピー機能の設定画面ＳＳには、コピー機能の設定項目に対応する項目選択キーＩＫが複数配置される。
【００２９】
複数の項目選択キーＩＫのうちいずれかに対してタッチ操作が行われると、パネル制御部１２０は、タッチパネル部３２の出力に基づき、タッチされた項目選択キーＩＫを検知する。言い換えると、パネル制御部１２０は、選択された設定項目を認識する。そして、パネル制御部１２０は、パネルメモリー１２２から画面データを読み出し、選択された設定項目の設定値の入力を受け付けるための設定値入力画面ＶＳ（図５参照）を表示部３１に表示させる。すなわち、表示部３１は、設定項目として「用紙選択」が選択された場合、「用紙選択」の設定値の入力を受け付けるための設定値入力画面ＶＳを表示し、設定項目として「縮小／拡大」が選択された場合、「縮小／拡大」の設定値の入力を受け付けるための設定値入力画面ＶＳを表示する。
【００３０】
たとえば、設定項目として「縮小／拡大」が選択された場合、パネル制御部１２０は、図５に示すような「縮小／拡大」の設定値入力画面ＶＳを表示部３１に表示させる。「縮小／拡大」の設定値入力画面ＶＳには、印刷倍率（設定値に相当）を入力するための設定値入力キーＶＫが複数配置される。
【００３１】
なお、機能選択キーＦＫ（図３参照）、項目選択キーＩＫ（図４参照）および設定値入力キーＶＫ（図５参照）は、「第２キー」に相当する。以下の説明では、これら各キーを第２キーＫ２と称する場合がある。
【００３２】
＜表示領域の外側領域に仮想的に配置されるキー＞
（仮想的な配置位置）
一般的な画像形成装置用の操作パネルには、スタートキー（ジョブの開始指示を受け付けるためのキー）やストップキー（ジョブの停止指示を受け付けるためのキー）など種々のハードキー（ハードウェアキー）が設けられる。
【００３３】
しかし、本実施形態では、操作パネル１０３からハードキーを省略する。そして、図６に示すように、省略したハードキーに対応するキーを表示領域ＤＡの外側領域ＯＡに仮想的に配置し、外側領域ＯＡに仮想的に配置したキーの表示指示を受け付ける。なお、外側領域ＯＡに仮想的に配置されたキーは「第１キー」に相当し、以下の説明では第１キーＫ１と称する。
【００３４】
まず、図６に示すように、第１キーＫ１は複数有り、操作パネル１０３から省略するいずれかのハードキーに対応している。なお、外側領域ＯＡに仮想的に配置する第１キーＫ１の種類は特に限定されない。たとえば、スタートキー、ストップキー、リセットキーおよびテンキーが第１キーＫ１とされる。また、複数種の機能から使用機能の選択指示を受け付けるためのファンクションキー（コピーキー、送信キーおよびファックスキー）も第１キーＫ１とされる。
【００３５】
ここで、外側領域ＯＡは、表示領域ＤＡの上側領域、下側領域、左側領域および右側領域の４つの領域に区分けされる。すなわち、外側領域ＯＡは、区分けされた領域である区分け領域Ａを４つ含む。そして、第１キーＫ１は、４つの区分け領域Ａのうちいずれかに仮想的に配置される。
【００３６】
第１キーＫ１の仮想的な配置位置は、たとえば、４つの区分け領域Ａの中からユーザーによって選択される。そして、パネルメモリー１２２は、４つの区分け領域Ａの中からユーザーが選択した区分け領域Ａを第１キーＫ１の仮想的な配置位置として記憶する。また、パネルメモリー１２２は、画面データとして、第１キーＫ１を配置した画面を表示するためのデータも記憶する。
【００３７】
第１キーＫ１の配置位置の設定を受け付けるため、たとえば、メインメニュー画面ＭＳにはシステムメニューキー（図示せず）が配置される。このシステムメニューキーに対してタッチ操作を行うと、設定項目の一覧表が表示される。そして、設定項目の一覧表から第１キーＫ１に関する設定項目を選択することにより、第１キーＫ１の配置位置を設定するための画面（図示せず）が表示され、第１キーＫ１の配置位置の設定が行えるようになっている。
【００３８】
たとえば、４つの区分け領域Ａのうち２つ以上の区分け領域Ａに同一の第１キーＫ１が配置されるよう、第１キーＫ１の配置位置が設定できてもよい。また、４つの区分け領域Ａのうち１つの区分け領域Ａに複数の異なる第１キーＫ１が配置されるよう、第１キーＫ１の配置位置が設定できてもよい。なお、デフォルトの設定として、使用回数が多くなると予想される第１キーＫ１を複数の区分け領域Ａの全てに配置してもよい。あるいは、使用回数が多くなると予想される２つ以上の第１キーＫ１を１つの区分け領域Ａにまとめて配置してもよい。
【００３９】
（第１キーが配置された画面への遷移）
以下、第１キーＫ１を表示するときの表示動作について説明する。以下の説明では、図６に示すように、表示領域ＤＡの上側の区分け領域Ａに、スタートキー、ストップキーおよびリセットキーに対応する第１キーＫ１が仮想的に配置されているとする。また、表示領域ＤＡの下側の区分け領域Ａに、スタートキー、ストップキー、リセットキーおよびテンキーに対応する第１キーＫ１が仮想的に配置されているとする。また、表示領域ＤＡの左側領域Ａに、ファンクションキー（コピーキー、送信キーおよびＦＡＸキー）およびスタートキーに対応する第１キーＫ１が仮想的に配置されているとする。また、表示領域ＤＡの右側の区分け領域Ａに、スタートキー、ストップキーおよびリセットキーに対応する第１キーＫ１が仮想的に配置されているとする。
【００４０】
第１キーＫ１が配置された画面へ表示画面を遷移させるには、予め定められたタッチ操作（ジェスチャー操作）である第１キー表示操作をタッチパネル部３２に対して行う必要がある。たとえば、タッチパネル部３２は、表示領域ＤＡに対するタッチ位置を一方側から他方側へタッチしたまま移動させるタッチ操作（スライド操作やフリック操作などと称される）を第１キー表示操作として受け付ける。
【００４１】
第１キー表示操作が行われると、パネル制御部１２０は、タッチパネル部３２の出力に基づき、第１キー表示操作が行われたことを検知する。そして、パネル制御部１２０は、表示部３１に指示し、第１キー表示操作でのタッチ位置の移動方向に仮想的に配置された第１キーＫ１を表示させる。言い換えると、表示部３１は、４つの区分け領域Ａのうち第１キー表示操作でのタッチ位置の移動方向に在る区分け領域Ａが仮想的な配置位置とされた第１キーＫ１を表示する。
【００４２】
たとえば、図７に示すように、メインメニュー画面ＭＳの表示中に、タッチ位置を右側から左側へ移動させる第１キー表示操作が行われたとする。なお、図７に図示した白抜き矢印は、タッチ位置の移動方向を示すものである（以下の説明で参照する図面も同様である）。このような第１キー表示操作が行われた場合、表示部３１は、表示領域ＤＡの左側の区分け領域Ａに仮想的に配置された第１キーＫ１（スタートキー、コピーキー、送信キーおよびファクスキー）を表示する。これにより、第１キーＫ１（スタートキー、コピーキー、送信キーおよびファックスキー）の使用が可能となる。たとえば、第１キーＫ１であるコピーキーに対するタッチ操作を行うと、コピー機能の設定画面ＳＳ（図４参照）が表示されるので、その設定画面ＳＳから設定値入力画面ＶＳ（図５参照）へ表示画面を遷移させることができる（コピー機能の設定を行える）。
【００４３】
ここで、表示部３１は、タッチパネル部３２が第１キー表示操作を受け付ける前は、複数の第２キーＫ２（機能選択キーＦＫ）を表示領域ＤＡの全域にわたって表示している。したがって、第１キーＫ１を表示するための表示スペースが無い。このため、表示部３１は、第１キーＫ１を表示するとき、複数の第２キーＫ２のうち少なくとも１つを表示領域ＤＡから消すことによって、第１キーＫ１の表示スペースを確保する。
【００４４】
複数の第２キーＫ２のうち表示領域ＤＡから消す第２キーＫ２の選択は、所定期間（たとえば、数日〜数カ月）における複数の第２キーＫ２の各使用回数（使用頻度）に基づきパネル制御部１２０が行う。すなわち、パネル制御部１２０は、「選択部」に相当する。
【００４５】
パネル制御部１２０は、複数の第２キーＫ２のうち表示領域ＤＡから消す第２キーＫ２を選択するとき、使用回数が最も少ない第２キーＫ２から順に必要数だけ選択する。すなわち、表示領域ＤＡから２つの第２キーＫ２を消す必要がある場合には、使用回数が最も少ない第２キーＫ２と、その次に使用回数が少ない第２キーＫ２とが選択される。
【００４６】
たとえば、メインメニュー画面ＭＳに配置される第２キーＫ２（機能選択キーＦＫ）のうち、インターネットキーの使用回数が最も低く、その次にユーザーボックスキーの使用回数が少なかったとする。この場合には、図７に示すように、第１キーＫ１（スタートキー、コピーキー、送信キーおよびファックスキー）が表示される代わりに、インターネットキーおよびユーザーボックスキーの各第２キーＫ２が消される。すなわち、コピーキー、送信キー、ファックスキー、ジョブボックスキー、ファックス受信ボックスキーおよび外部メモリーキーの各第２キーＫ２が表示領域ＤＡに残る。そして、表示領域ＤＡに残っている第２キーＫ２に対するタッチ操作を行った場合には、メインメニュー画面ＭＳの下層画面のうち、タッチ操作を行った第２キーＫ２に対応する機能の設定画面ＳＳへ表示画面を遷移させることができる。
【００４７】
なお、表示領域ＤＡに第２キーＫ２を残す場合、表示領域ＤＡに残す第２キーＫ２の並び順を入れ替えてもよい。たとえば、表示領域ＤＡに残す第２キーＫ２を使用回数順に並べるようにしてもよい（たとえば、使用回数が多い第２キーＫ２を上段に配置し、使用回数が少ない第２キーＫ２を下段に配置してもよい）。
【００４８】
また、別の例として、図８に示すように、メインメニュー画面ＭＳの表示中に、タッチ位置を下側から上側へ移動させる第１キー表示操作が行われたとする。このような第１キー表示操作が行われた場合、表示部３１は、表示領域ＤＡの上側の区分け領域Ａに仮想的に配置された第１キーＫ１（スタートキー、ストップキーおよびリセットキー）を表示する。
【００４９】
なお、場合によっては、第１キー表示操作でのタッチ位置の移動方向に、使用できない第１キーＫ１が仮想的に配置されていることがある。この場合、表示部３１は、使用できない第１キーＫ１については表示しない。
【００５０】
たとえば、画像形成装置１００にファックスボードが装着されていなければ、ファックス機能は使用できない。すなわち、ファックスキーは使用できない（無効化される）。この場合、たとえば、図９に示すように、タッチ位置を右側から左側へ移動させる第１キー表示操作が行われると、表示部３１は、表示領域ＤＡの左側の区分け領域Ａに仮想的に配置された第１キーＫ１のうち、スタートキー、コピーキーおよび送信キーは表示するが、ファックスキーは表示しない。
【００５１】
（第１キーが配置された画面から元画面への遷移）
第１キーＫ１が配置された画面から元画面へ表示画面を遷移させるには、予め定められたタッチ操作（ジェスチャー操作）である第１キー非表示操作をタッチパネル部３２に対して行う必要がある。たとえば、タッチパネル部３２は、表示部３１が第１キーＫ１を表示している状態において、表示領域ＤＡに対するタッチ位置を第１キー表示操作でのタッチ位置の移動方向とは逆方向に移動させるタッチ操作を第１キー非表示操作として受け付ける。
【００５２】
第１キー非表示操作が行われると、パネル制御部１２０は、タッチパネル部３２の出力に基づき、第１キー非表示操作が行われたことを検知する。そして、パネル制御部１２０は、表示部３１に指示し、現在の表示画面を第１キー表示操作の受け付け前の画面へ遷移させる。すなわち、表示領域ＤＡから第１キーＫ１が消される。
【００５３】
たとえば、図７に示した第１キー表示操作が行われたことによって、第１キーＫ１（スタートキー、コピーキー、送信キーおよびファックスキー）が配置された画面へ遷移した状態になっているとする。
【００５４】
この場合、図１０に示すように、パネル制御部１２０は、表示領域ＤＡに対するタッチ位置を左側から右側へ向かう方向（すなわち、図７に示した第１キー表示操作でのタッチ位置の移動方向とは逆方向）に移動させるタッチ操作が行われると、その操作を第１キー非表示操作として検知する。そして、パネル制御部１２０は、第１キー非表示操作が行われたことを検知すると、表示部３１に指示し、現在の表示画面をメインメニュー画面ＭＳへ遷移させる。すなわち、表示部３１の表示画面は、第１キー表示操作の受け付け前の状態に戻る。
【００５５】
また、別の例として、図８に示した第１キー表示操作が行われたことによって、第１キーＫ１（スタートキー、ストップキーおよびリセットキー）が配置された画面へ遷移した態になっているとする。
【００５６】
この場合、図１１に示すように、パネル制御部１２０は、表示領域ＤＡに対するタッチ位置を上側から下側へ向かう方向（すなわち、図８に示した第１キー表示操作でのタッチ位置の移動方向とは逆方向）に移動させるタッチ操作が行われると、その操作を第１キー非表示操作として検知する。そして、パネル制御部１２０は、第１キー非表示操作が行われたことを検知すると、表示部３１に指示し、現在の表示画面をメインメニュー画面ＭＳへ遷移させる。
【００５７】
本実施形態の操作パネル１０３（操作表示装置）は、情報を表示する表示領域ＤＡを有する表示部３１と、表示領域ＤＡに対するタッチ操作を受け付けるタッチパネル部３２と、表示領域ＤＡの外側領域ＯＡに仮想的に配置される第１キーＫ１の配置位置を記憶するパネルメモリー１２２（記憶部）と、を備える。そして、タッチパネル部３２は、表示領域ＤＡに対するタッチ位置を一方側から他方側へタッチしたまま移動させるタッチ操作を第１キー表示操作として受け付け、表示部３１は、タッチパネル部３２が第１キー表示操作を受け付けると、第１キー表示操作でのタッチ位置の移動方向に仮想的に配置された第１キーＫ１を表示する。
【００５８】
本実施形態の構成では、タッチパネル部３２に対して第１キー表示操作を行うと、第１キー表示操作でのタッチ位置の移動方向に仮想的に配置された第１キーＫ１が表示部３１に表示される。したがって、本来はハードキーとして設置されるキーの機能（ジョブのスタート指示を受け付ける機能や数値入力を受け付ける機能）を第１キーＫ１に割り当てることによって、ハードキーを設けなくてもよくなる。これにより、ハードキーに対する操作が不要となる（タッチパネル部３２に対するタッチ操作だけでよくなる）ので、操作性が向上する。
【００５９】
さらに、ハードキーを設けなくてもよいので、部品点数の削減および装置の小型化を図ることができる。
【００６０】
また、本実施形態では、上記のように、表示部３１は、タッチパネル部３２が第１キー表示操作を受け付けると、複数の第２キーＫ２のうち少なくとも１つを表示領域ＤＡから消して、第１キーＫ１を表示する。このように構成すれば、複数の第２キーＫ２を表示領域ＤＡの全域にわたって配置していても、複数の第２キーＫ２のうち少なくとも１つを表示領域ＤＡから消すので、第１キーＫ１の表示スペースを確保することができる。
【００６１】
また、本実施形態では、上記のように、パネル制御部１２０（選択部）は、表示領域ＤＡから消す第２キーＫ２を選択するとき、複数の第２キーＫ２のうち使用回数が最も少ない第２キーＫ２から順に選択する。このように構成すれば、第１キー表示操作を行い、結果として複数の第２キーＫ２のうち少なくとも１つが表示領域ＤＡから消されても、使用回数が多い第２キーＫ２（すなわち、ユーザーがよく使う第２キーＫ２）は表示され続けるので、ユーザーの利便性が低下するのを抑制することができる。
【００６２】
また、本実施形態では、上記のように、パネルメモリー１２２は、複数の区分け領域Ａのうちユーザーによって選択された区分け領域Ａを第１キーＫ１の仮想的な配置位置として記憶する。そして、表示部３１は、タッチパネル部３２が第１キー表示操作を受け付けると、複数の区分け領域Ａのうち第１キー表示操作でのタッチ位置の移動方向に在る区分け領域Ａに仮想的に配置された第１キーＫ１を表示する。このように構成すれば、たとえば、使用回数の多い第１キーＫ１を複数の区分け領域Ａの全てに仮想的に配置しておくことによって、第１キー表示操作でのタッチ位置の移動方向がどの方向であっても、使用回数の多い第１キーＫ１を表示させることができる。また、使用回数が多い２つ以上の第１キーＫ１を１つの区分け領域Ａにまとめて仮想的に配置しておくことによって、１回の第１キー表示操作だけで、使用回数が多い２つ以上の第１キーＫ１を一括して表示させることができる。
【００６３】
また、本実施形態では、上記のように、表示部３１は、第１キー表示操作でのタッチ位置の移動方向に、使用できない第１キーＫ１が仮想的に配置されているとき、その使用できない第１キーＫ１については表示しない。このように構成すれば、使用できない第１キーＫ１に対するタッチ操作そのものが行えないので、操作ミスを減らすことができる（操作性が向上する）。
【００６４】
また、本実施形態では、上記のように、表示部３１は、第１キーＫ１を表示している状態において、表示領域ＤＡに対するタッチ位置を第１キー表示操作でのタッチ位置の移動方向とは逆方向に移動させるタッチ操作をタッチパネル部３２が受け付けたとき、タッチパネル部３２が第１キー表示操作を受け付ける前の画面へ表示画面を戻す。このように構成すれば、容易に、第１キーＫ１が配置された画面から元の画面に戻すことができる。また、第１キーＫ１が配置された画面から元の画面に戻す操作は、第１キー表示操作でのタッチ位置の移動方向とは逆方向にタッチ位置を移動させる操作であるので、直感的で分かり易い。
【００６５】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる
【符号の説明】
【００６６】
３１  表示部
３２  タッチパネル部
１００  画像形成装置
１０３  操作パネル（操作表示部）
１２０  パネル制御部（選択部）
１２２  パネルメモリー（記憶部）
ＤＡ  表示領域
Ａ  区分け領域
Ｋ１  第１キー
Ｋ２  第２キー
ＯＡ  外側領域
【図１】
2016115293.tif 000003
【図２】
2016115293.tif 000004
【図３】
2016115293.tif 000005
【図４】
2016115293.tif 000006
【図５】
2016115293.tif 000007
【図６】
2016115293.tif 000008
【図７】
2016115293.tif 000009
【図８】
2016115293.tif 000010
【図９】
2016115293.tif 000011
【図１０】
2016115293.tif 000012
【図１１】
2016115293.tif 000013